【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別することと、ここにおいて、前記ＴＴＩバンドルの前記構成は、前記ＴＴＩバンドルが対応する２つ以上のサブバンドにわたって２つ以上のＴＴＩサブバンドルとして受信されるようなものである、
前記ＣＳＩ参照サブフレームのＣＳＩ測定を実行することと、
前記ＣＳＩ測定に少なくとも部分的に基づいてＣＳＩデータを送信することと、
を備える、方法。
【請求項２】
前記ＴＴＩバンドルの前記構成は、前記ＴＴＩバンドルが単一のサブバンド上で受信されるようなものである、請求項１に記載の方法。
【請求項３】
ＣＳＩ参照サブフレームとして前記１つまたは複数のサブフレームを識別することが、
ＣＳＩ参照サブフレームとして前記ＴＴＩサブバンドルの各々の最後の有効なサブフレームを識別すること
を備える、請求項１に記載の方法。
【請求項４】
ＣＳＩ参照サブフレームとして前記ＴＴＩサブバンドルの各々の最後の有効なサブフレームを識別することと、
前記ＣＳＩ参照サブフレームの各々にわたって実行されたＣＳＩ測定を平均化することと
をさらに備える、請求項３に記載の方法。
【請求項５】
ＣＳＩ参照サブフレームとして前記１つまたは複数のサブフレームを識別することが、
ＣＳＩ参照サブフレームとして前記２つ以上のＴＴＩサブバンドル内の２つ以上の有効なサブフレームを識別すること
を備える、請求項１に記載の方法。
【請求項６】
前記ＣＳＩ参照サブフレームの各々にわたって実行されたＣＳＩ測定を平均化すること
をさらに備える、請求項５に記載の方法。
【請求項７】
ＣＳＩ参照サブフレームとして前記１つまたは複数のサブフレームを識別することが、
ＣＳＩ参照サブフレームとして前記２つ以上のＴＴＩサブバンドル内の前記サブフレームのすべてを識別すること
を備える、請求項１に記載の方法。
【請求項８】
前記ＣＳＩ参照サブフレームの各々にわたって実行されたＣＳＩ測定を平均化すること
をさらに備える、請求項５に記載の方法。
【請求項９】
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、請求項１に記載の方法。
【請求項１０】
前記ＣＳＩ測定に少なくとも部分的に基づいてＣＳＩデータを送信することが、
周期ＣＳＩ（Ｐ−ＣＳＩ）データ送信のための周期性またはオフセットを含むＰ−ＣＳＩ構成に部分的に基づいてＰ−ＣＳＩデータを送信することと、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信することと
を備える、請求項１に記載の方法。
【請求項１１】
前記ＴＴＩバンドルの複数のサブフレームにわたるチャネル測定のためのバンドル非ゼロ電力（ＮＺＰ）ＣＳＩ基準信号（ＣＳＩ−ＲＳ）または干渉測定のためのバンドル干渉測定リソース（ＩＭＲ）のうちの少なくとも１つを受信すること
をさらに備える、請求項１に記載の方法。
【請求項１２】
ＣＳＩ参照サブフレームとして前記１つまたは複数のサブフレームを識別することが、
物理ダウンリンク制御チャネル（ＰＤＣＣＨ）バンドルが受信されたサブバンド上に前記ＣＳＩ参照サブフレームがあると決定することによって前記ＣＳＩ参照サブフレームが有効であると決定することと、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定することと、
狭帯域幅動作中に使用されるべきサブバンド上に前記ＣＳＩ参照サブフレームがあると決定することによって前記ＣＳＩ参照サブフレームが有効であると決定することと
を備える、請求項１に記載の方法。
【請求項１３】
前記ＴＴＩバンドルとともにアップリンク許可を受信することが、
カバレージ拡張技法に従って前記ＴＴＩバンドルを受信することと、
マシン型通信（ＭＴＣ）ユーザ機器（ＵＥ）において前記ＴＴＩバンドルを受信することと
を備える、請求項１に記載の方法。
【請求項１４】
ワイヤレス通信のための装置であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別するための手段と、ここにおいて、前記ＴＴＩバンドルの前記構成は、前記ＴＴＩバンドルが対応する２つ以上のサブバンドにわたって２つ以上のＴＴＩサブバンドルとして受信されるようなものである、
前記ＣＳＩ参照サブフレームのＣＳＩ測定を実行するための手段と、
前記ＣＳＩ測定に少なくとも部分的に基づいてＣＳＩデータを送信するための手段と、
を備える、装置。
【請求項１５】
請求項１−１３のうちのいずれか一項に記載の方法を実行するためのコンピュータ実行可能コードを記憶する非一時的コンピュータ可読媒体。
【手続補正２】
【補正対象書類名】明細書
【補正対象項目名】０１４２
【補正方法】変更
【補正の内容】
【０１４２】
[0154]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願発明の当初の特許請求の範囲に記載された発明を付記する。
［Ｃ１］
ワイヤレス通信のための方法であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を備える、方法。
［Ｃ２］
ＣＳＩ参照サブフレームとして前記１つまたは複数のサブフレームを識別することが、
ＣＳＩ参照サブフレームとして前記ＴＴＩバンドルの最後の有効なサブフレームを識別すること
を備える、Ｃ１に記載の方法。
［Ｃ３］
ＣＳＩ参照サブフレームとして前記１つまたは複数のサブフレームを識別することが、
ＣＳＩ参照サブフレームとして前記ＴＴＩバンドル中の２つ以上の有効なサブフレームを識別すること
を備える、Ｃ１に記載の方法。
［Ｃ４］
ＣＳＩ参照サブフレームとして前記１つまたは複数のサブフレームを識別することが、
ＣＳＩ参照サブフレームとして前記ＴＴＩバンドル中の前記サブフレームのすべてを識別すること
を備える、Ｃ１に記載の方法。
［Ｃ５］
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ１に記載の方法。
［Ｃ６］
前記ＴＴＩバンドルの前記構成は、前記ＴＴＩバンドルが単一のサブバンド上で受信されるようなものである、Ｃ１に記載の方法。
［Ｃ７］
前記ＴＴＩバンドルの前記構成は、前記ＴＴＩバンドルが対応する２つ以上のサブバンドにわたって２つ以上のＴＴＩサブバンドルとして受信されるようなものである、Ｃ１に記載の方法。
［Ｃ８］
ＣＳＩ参照サブフレームとして前記１つまたは複数のサブフレームを識別することが、
ＣＳＩ参照サブフレームとして前記ＴＴＩサブバンドルの各々の最後の有効なサブフレームを識別すること
を備える、Ｃ７に記載の方法。
［Ｃ９］
前記ＣＳＩ参照サブフレームの各々にわたって実行されたＣＳＩ測定を平均化すること
をさらに備える、Ｃ８に記載の方法。
［Ｃ１０］
ＣＳＩ参照サブフレームとして前記１つまたは複数のサブフレームを識別することが、
ＣＳＩ参照サブフレームとして前記２つ以上のＴＴＩサブバンドル内の２つ以上の有効なサブフレームを識別すること
を備える、Ｃ７に記載の方法。
［Ｃ１１］
前記ＣＳＩ参照サブフレームの各々にわたって実行されたＣＳＩ測定を平均化すること
をさらに備える、Ｃ１０に記載の方法。
［Ｃ１２］
ＣＳＩ参照サブフレームとして前記１つまたは複数のサブフレームを識別することが、
ＣＳＩ参照サブフレームとして前記２つ以上のＴＴＩサブバンドル内の前記サブフレームのすべてを識別すること
を備える、Ｃ７に記載の方法。
［Ｃ１３］
前記ＣＳＩ参照サブフレームの各々にわたって実行されたＣＳＩ測定を平均化すること
をさらに備える、Ｃ１２に記載の方法。
［Ｃ１４］
ＣＳＩ参照サブフレームとして前記１つまたは複数のサブフレームを識別することが、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ７に記載の方法。
［Ｃ１５］
前記ＣＳＩ測定に少なくとも部分的に基づいてＣＳＩデータを送信することが、
周期ＣＳＩ（Ｐ−ＣＳＩ）データ送信のための周期性またはオフセットを含むＰ−ＣＳＩ構成に部分的に基づいてＰ−ＣＳＩデータを送信すること
を備える、Ｃ１に記載の方法。
［Ｃ１６］
前記ＣＳＩ測定に少なくとも部分的に基づいてＣＳＩデータを送信することが、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信すること
を備える、Ｃ１に記載の方法。
［Ｃ１７］
前記ＴＴＩバンドルの複数のサブフレームにわたるチャネル測定のためのバンドル非ゼロ電力（ＮＺＰ）ＣＳＩ基準信号（ＣＳＩ−ＲＳ）または干渉測定のためのバンドル干渉測定リソース（ＩＭＲ）のうちの少なくとも１つを受信すること
をさらに備える、Ｃ１に記載の方法。
［Ｃ１８］
ＣＳＩ参照サブフレームとして前記１つまたは複数のサブフレームを識別することが、
物理ダウンリンク制御チャネル（ＰＤＣＣＨ）バンドルが受信されたサブバンド上に前記ＣＳＩ参照サブフレームがあると決定することによって前記ＣＳＩ参照サブフレームが有効であると決定すること
を備える、Ｃ１に記載の方法。
［Ｃ１９］
ＣＳＩ参照サブフレームとして前記１つまたは複数のサブフレームを識別することが、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定すること
を備える、Ｃ１に記載の方法。
［Ｃ２０］
ＣＳＩ参照サブフレームとして前記１つまたは複数のサブフレームを識別することが、
狭帯域幅動作中に使用されるべきサブバンド上に前記ＣＳＩ参照サブフレームがあると決定することによって前記ＣＳＩ参照サブフレームが有効であると決定すること
を備える、Ｃ１に記載の方法。
［Ｃ２１］
前記ＴＴＩバンドルとともにアップリンク許可を受信することが、
カバレージ拡張技法に従って前記ＴＴＩバンドルを受信すること
を備える、Ｃ１に記載の方法。
［Ｃ２２］
前記ＴＴＩバンドルとともにアップリンク許可を受信することが、
マシン型通信（ＭＴＣ）ユーザ機器（ＵＥ）において前記ＴＴＩバンドルを受信すること
を備える、Ｃ１に記載の方法。
［Ｃ２３］
ワイヤレス通信のための装置であって、
送信時間間隔（ＴＴＩ）バンドルの構成に少なくとも部分的に基づいて、チャネル状態情報（ＣＳＩ）測定のために使用されるべきＣＳＩ参照サブフレームとして１つまたは複数のサブフレームを識別するための手段と、
前記ＣＳＩ参照サブフレームのＣＳＩ測定を実行するための手段と、
前記ＣＳＩ測定に少なくとも部分的に基づいてＣＳＩデータを送信するための手段と、 を備える、装置。
［Ｃ２４］
ＣＳＩ参照サブフレームとして前記１つまたは複数のサブフレームを識別するための前記手段が、
ＣＳＩ参照サブフレームとして前記ＴＴＩバンドルの最後の有効なサブフレームを識別するための手段
を備える、Ｃ２３に記載の装置。
［Ｃ２５］
ＣＳＩ参照サブフレームとして前記１つまたは複数のサブフレームを識別するための前記手段が、
ＣＳＩ参照サブフレームとして前記ＴＴＩバンドル中の２つ以上の有効なサブフレームを識別するための手段
を備える、Ｃ２３に記載の装置。
［Ｃ２６］
ＣＳＩ参照サブフレームとして前記１つまたは複数のサブフレームを識別するための前記手段が、
ＣＳＩ参照サブフレームとして前記ＴＴＩバンドル中の前記サブフレームのすべてを識別するための手段
を備える、Ｃ２３に記載の装置。
［Ｃ２７］
ＣＳＩ参照サブフレームとして前記１つまたは複数のサブフレームを識別するための前記手段が、
前記ＣＳＩデータを送信するために使用されるサブフレームよりも少なくとも所定の数だけ前のサブフレームである最新の有効なサブフレームを識別するための手段、ここにおいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ２３に記載の装置。
［Ｃ２８］
前記ＴＴＩバンドルの前記構成は、前記ＴＴＩバンドルが単一のサブバンド上で受信されるようなものである、Ｃ２３に記載の装置。
［Ｃ２９］
第１のサブバンド上で物理ダウンリンク共有チャネル（ＰＤＳＣＨ）バンドルを受信し、第２のサブバンド上でアップリンク許可を受信するための手段
をさらに備える、Ｃ２３に記載の装置。
［Ｃ３０］
前記ＴＴＩバンドルの前記構成は、前記ＴＴＩバンドルが対応する２つ以上のサブバンドにわたって２つ以上のＴＴＩサブバンドルとして受信されるようなものである、Ｃ２３に記載の装置。
［Ｃ３１］
ＣＳＩ参照サブフレームとして前記１つまたは複数のサブフレームを識別するための前記手段が、
ＣＳＩ参照サブフレームとして最後のＴＴＩサブバンドルの最後の有効なサブフレームを識別するための手段
を備える、Ｃ３０に記載の装置。
［Ｃ３２］
ＣＳＩ参照サブフレームとして前記１つまたは複数のサブフレームを識別するための前記手段が、
ＣＳＩ参照サブフレームとして前記ＴＴＩサブバンドルの各々の最後の有効なサブフレームを識別するための手段
を備える、Ｃ３０に記載の装置。
［Ｃ３３］
前記ＣＳＩ参照サブフレームの各々にわたって実行されたＣＳＩ測定を平均化するための手段
をさらに備える、Ｃ３２に記載の装置。
［Ｃ３４］
ＣＳＩ参照サブフレームとして前記１つまたは複数のサブフレームを識別するための前記手段が、
ＣＳＩ参照サブフレームとして前記２つ以上のＴＴＩサブバンドル内の２つ以上の有効なサブフレームを識別するための手段
を備える、Ｃ３０に記載の装置。
［Ｃ３５］
前記ＣＳＩ参照サブフレームの各々にわたって実行されたＣＳＩ測定を平均化するための手段
をさらに備える、Ｃ３４に記載の装置。
［Ｃ３６］
ＣＳＩ参照サブフレームとして前記１つまたは複数のサブフレームを識別するための前記手段が、
ＣＳＩ参照サブフレームとして前記２つ以上のＴＴＩサブバンドル内の前記サブフレームのすべてを識別するための手段
を備える、Ｃ３０に記載の装置。
［Ｃ３７］
前記ＣＳＩ参照サブフレームの各々にわたって実行されたＣＳＩ測定を平均化するための手段
をさらに備える、Ｃ３６に記載の装置。
［Ｃ３８］
ＣＳＩ参照サブフレームとして前記１つまたは複数のサブフレームを識別するための前記手段が、
前記ＣＳＩデータを送信するために使用されるサブフレームよりも少なくとも所定の数だけ前のサブフレームである最新の有効なサブフレームを識別するための手段、ここにいて、前記最新の有効なサブフレームと前記ＣＳＩデータを送信するために使用される前記サブフレームとの間のギャップが、アップリンク許可を搬送しない少なくとも１つのサブフレームを含む、
を備える、Ｃ３０に記載の装置。
［Ｃ３９］
前記ＣＳＩ測定に少なくとも部分的に基づいてＣＳＩデータを送信するための前記手段が、
周期ＣＳＩ（Ｐ−ＣＳＩ）データ送信のための周期性またはオフセットを含むＰ−ＣＳＩ構成に部分的に基づいてＰ−ＣＳＩデータを送信するための手段
を備える、Ｃ２３に記載の装置。
［Ｃ４０］
アップリンク許可に関連するアップリンク送信のバンドリングサイズに基づいて前記Ｐ−ＣＳＩ構成を変更するための手段
をさらに備える、Ｃ３９に記載の装置。
［Ｃ４１］
前記ＣＳＩ測定に少なくとも部分的に基づいてＣＳＩデータを送信するための前記手段が、
ＣＳＩ測定のために使用されるべき前記ＣＳＩ参照サブフレームを識別するための方式を識別する非周期ＣＳＩ（Ａ−ＣＳＩ）構成に部分的に基づいてＡ−ＣＳＩデータを送信するための手段
を備える、Ｃ２３に記載の装置。
［Ｃ４２］
前記ＴＴＩバンドルの複数のサブフレームにわたるチャネル測定のためのバンドル非ゼロ電力（ＮＺＰ）ＣＳＩ基準信号（ＣＳＩ−ＲＳ）を受信するための手段
をさらに備える、Ｃ２３に記載の装置。
［Ｃ４３］
前記ＴＴＩバンドルの複数のサブフレームにわたる干渉測定のためのバンドル干渉測定リソース（ＩＭＲ）を受信するための手段
をさらに備える、Ｃ２３に記載の装置。
［Ｃ４４］
ＣＳＩ参照サブフレームとして前記１つまたは複数のサブフレームを識別するための前記手段が、
物理ダウンリンク共有チャネル（ＰＤＳＣＨ）バンドルが受信されたサブバンド上に前記ＣＳＩ参照サブフレームがあると決定することによって前記ＣＳＩ参照サブフレームが有効であると決定するための手段
を備える、Ｃ２３に記載の装置。
［Ｃ４５］
ＣＳＩ参照サブフレームとして前記１つまたは複数のサブフレームを識別するための前記手段が、
マルチキャストブロードキャスト単一周波数ネットワーク（ＭＢＳＦＮ）サブフレーム、短いダウンリンク部分をもつ特殊なサブフレーム、異なるＣＳＩサブフレームセットに関連するサブフレーム、または異なるサブバンドのサブフレームのうちの少なくとも１つを除外することによって前記ＣＳＩ参照サブフレームが有効であると決定するための手段
を備える、Ｃ２３に記載の装置。
［Ｃ４６］
ＣＳＩ参照サブフレームとして前記１つまたは複数のサブフレームを識別するための前記手段が、
狭帯域幅動作中に使用されるべきサブバンド上に前記ＣＳＩ参照サブフレームがあると決定することによって前記ＣＳＩ参照サブフレームが有効であると決定するための手段
を備える、Ｃ２３に記載の装置。
［Ｃ４７］
前記ＴＴＩバンドルとともにアップリンク許可を受信するための前記手段が、
カバレージ拡張技法に従って前記ＴＴＩバンドルを受信するための手段
を備える、Ｃ２３に記載の装置。
［Ｃ４８］
前記ＴＴＩバンドルとともにアップリンク許可を受信するための前記手段が、
マシン型通信（ＭＴＣ）ユーザ機器（ＵＥ）において前記ＴＴＩバンドルを受信するための手段
を備える、Ｃ２３に記載の装置。
［Ｃ４９］
プロセッサと、前記プロセッサと電子通信しているメモリと、前記メモリに記憶された命令とを備える、ワイヤレス通信のための装置であって、前記命令が、前記プロセッサによって、
ＴＴＩバンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を実行可能である、装置。
［Ｃ５０］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドルの最後の有効なサブフレームを識別すること
を実行可能な命令を備える、Ｃ４９に記載の装置。
［Ｃ５１］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドル中の２つ以上の有効なサブフレームを識別すること
を実行可能な命令を備える、Ｃ４９に記載の装置。
［Ｃ５２］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩバンドル中の前記サブフレームのすべてを識別すること
を実行可能な命令を備える、Ｃ４９に記載の装置。
［Ｃ５３］
前記プロセッサによって、ＣＳＩ参照サブフレームとして前記１つまたは複数のサブフレームを識別するように実行可能な前記命令が、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能な命令を備える、Ｃ４９に記載の装置。
［Ｃ５４］
前記ＴＴＩバンドルの前記構成は、前記ＴＴＩバンドルが単一のサブバンド上で受信されるようなものである、Ｃ４９に記載の装置。
［Ｃ５５］
前記プロセッサによって、
第１のサブバンド上で物理ダウンリンク共有チャネル（ＰＤＳＣＨ）バンドルを受信することと、第２のサブバンド上でアップリンク許可を受信することと
を実行可能な命令をさらに備える、Ｃ４９に記載の装置。
［Ｃ５６］
前記ＴＴＩバンドルの前記構成は、前記ＴＴＩバンドルが対応する２つ以上のサブバンドにわたって２つ以上のＴＴＩサブバンドルとして受信されるようなものである、Ｃ４９に記載の装置。
［Ｃ５７］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記ＴＴＩサブバンドルの各々の最後の有効なサブフレームを識別すること
を実行可能な命令を備える、Ｃ５６に記載の装置。
［Ｃ５８］
前記プロセッサによって、
前記ＣＳＩ参照サブフレームの各々にわたって実行されたＣＳＩ測定を平均化すること
を実行可能な命令をさらに備える、Ｃ５７に記載の装置。
［Ｃ５９］
前記プロセッサによって、ＣＳＩ参照サブフレームとして前記１つまたは複数のサブフレームを識別するように実行可能な前記命令が、前記プロセッサによって、
ＣＳＩ参照サブフレームとして前記２つ以上のＴＴＩサブバンドル内の２つ以上の有効なサブフレームを識別すること
を実行可能な命令を備える、Ｃ５６に記載の装置。
［Ｃ６０］
前記プロセッサによって、
前記ＣＳＩ参照サブフレームの各々にわたって実行されたＣＳＩ測定を平均化すること
を実行可能な命令をさらに備える、Ｃ５９に記載の装置。
［Ｃ６１］
前記プロセッサによって、ＣＳＩ参照サブフレームとして前記１つまたは複数のサブフレームを識別するように実行可能な前記命令が、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能な命令を備える、Ｃ５６に記載の装置。
［Ｃ６２］
ワイヤレス通信のためのコンピュータ実行可能コードを記憶する非一時的コンピュータ可読媒体であって、前記コードは、
ＴＴＩバンドルの構成に少なくとも部分的に基づいて、チャネル状態情報（ＣＳＩ）測定のために使用されるべきＣＳＩ参照サブフレームとして１つまたは複数のサブフレームを識別することと、
前記ＣＳＩ参照サブフレームのＣＳＩ測定を実行することと、
前記ＣＳＩ測定に少なくとも部分的に基づいてＣＳＩデータを送信することと、
を行うためにプロセッサによって実行可能である、非一時的コンピュータ可読媒体。
［Ｃ６３］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドルの最後の有効なサブフレームを識別すること
を実行可能なコードを備える、Ｃ６２に記載の非一時的コンピュータ可読媒体。
［Ｃ６４］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドル中の２つ以上の有効なサブフレームを識別すること
を実行可能なコードを備える、Ｃ６２に記載の非一時的コンピュータ可読媒体。
［Ｃ６５］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩバンドル中の前記サブフレームのすべてを識別すること
を実行可能なコードを備える、Ｃ６２に記載の非一時的コンピュータ可読媒体。
［Ｃ６６］
前記プロセッサによって、ＣＳＩ参照サブフレームとして前記１つまたは複数のサブフレームを識別するように実行可能な前記コードが、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能なコードを備える、Ｃ６２に記載の非一時的コンピュータ可読媒体。
［Ｃ６７］
前記ＴＴＩバンドルの前記構成は、前記ＴＴＩバンドルが単一のサブバンド上で受信されるようなものである、Ｃ６２に記載の非一時的コンピュータ可読媒体。
［Ｃ６８］
前記プロセッサによって、
第１のサブバンド上で物理ダウンリンク共有チャネル（ＰＤＳＣＨ）バンドルを受信することと、第２のサブバンド上でアップリンク許可を受信することと
を実行可能なコードをさらに備える、Ｃ６２に記載の非一時的コンピュータ可読媒体。
［Ｃ６９］
前記ＴＴＩバンドルの前記構成は、前記ＴＴＩバンドルが対応する２つ以上のサブバンドにわたって２つ以上のＴＴＩサブバンドルとして受信されるようなものである、Ｃ６２に記載の非一時的コンピュータ可読媒体。
［Ｃ７０］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記ＴＴＩサブバンドルの各々の最後の有効なサブフレームを識別すること
を実行可能なコードを備える、Ｃ６９に記載の非一時的コンピュータ可読媒体。
［Ｃ７１］
前記プロセッサによって、
前記ＣＳＩ参照サブフレームの各々にわたって実行されたＣＳＩ測定を平均化すること
を実行可能なコードをさらに備える、Ｃ７０に記載の非一時的コンピュータ可読媒体。
［Ｃ７２］
前記プロセッサによって、ＣＳＩ参照サブフレームとして前記１つまたは複数のサブフレームを識別するように実行可能な前記コードが、前記プロセッサによって、
ＣＳＩ参照サブフレームとして前記２つ以上のＴＴＩサブバンドル内の２つ以上の有効なサブフレームを識別すること
を実行可能なコードを備える、Ｃ６９に記載の非一時的コンピュータ可読媒体。
［Ｃ７３］
前記プロセッサによって、
前記ＣＳＩ参照サブフレームの各々にわたって実行されたＣＳＩ測定を平均化すること
を実行可能なコードをさらに備える、Ｃ７２に記載の非一時的コンピュータ可読媒体。
［Ｃ７４］
前記プロセッサによって、ＣＳＩ参照サブフレームとして前記１つまたは複数のサブフレームを識別するように実行可能な前記コードが、前記プロセッサによって、
前記ＣＳＩデータを送信するために使用されるサブフレームよりも少なくとも所定の数だけ前のサブフレームである最新の有効なサブフレームを識別すること、ここにおいて、前記最新の有効なサブフレームと前記ＣＳＩデータを送信するために使用される前記サブフレームとの間のギャップが、アップリンク許可を搬送しない少なくとも１つのサブフレームを含む、
を実行可能なコードを備える、Ｃ６９に記載の非一時的コンピュータ可読媒体。